(57)【要約】  【課題】自動販売機解体時に自動販売機に関するメンテナンス情報および、収納ラックに対応した商品の銘柄記入欄を記載したステッカーの剥がす作業をなくし作業性を向上させ、内扉表面に貼り付けられているステッカーに発生するカビをなくす。  【解決手段】内扉３の外郭となっている鋼板１１に自動販売機に関するメンテナンス情報１４および、収納ラックに対応した商品の銘柄記入欄１５を直接に印刷することにより、ステッカー１０を廃止し自動販売機解体時の分別作業をなくすことができる。【選択図】図１
2005327022.tif 000002
【特許請求の範囲】
【請求項１】
商品を収納するキャビネットとキャビネットの前面に扉を備えた自動販売機において、前記扉を開放した時に見ることができる内部の平面部に直接メンテナンス情報を印刷したことを特徴とする自動販売機。
【請求項２】
商品収納ラック内蔵のキャビネット前面に設けられた内扉の鋼板表面側に自動販売機に関する情報および、収納ラックに対応した商品の銘柄記入欄を直接印刷して表示することを特徴とする自動販売機。
【請求項３】
前記内扉の鋼板表面に白地のシルク印刷を施し、前記シルク印刷面に自動販売機に関するメンテナンス情報および、収納ラックに対応した商品の銘柄記入欄を直接印刷して表示することを特徴とする自動販売機。
【請求項４】
商品収納ラック内蔵のキャビネット前面に設けられた内扉または外扉の背面に設けられた上部内扉がウレタンスラブ材で構成されており、前記ウレタンスラブ材の表面に自動販売機に関するメンテナンス情報および、収納ラックに対応した商品の銘柄記入欄を直接印刷して表示することを特徴とする自動販売機。
【請求項５】
前記内扉のウレタンスラブの表面が白面材で構成されており前記白面材の表面に自動販売機に関するメンテナンス情報および、収納ラックに対応した商品の銘柄記入欄を直接印刷して表示することを特徴とする自動販売機。
【請求項６】
自動販売機に関するメンテナンス情報および、収納ラックに対応した商品の銘柄記入欄を記載した接着剤付ラベルを容易に切り離せるように内扉のウレタンスラブ面材の表面にミシン目の切り取り線を設けることを特徴とする自動販売機。
【発明の詳細な説明】
【技術分野】
【０００１】
本発明は缶入り飲料などの商品を販売する自動販売機に関するものである。
【背景技術】
【０００２】
従来の自動販売機は例えば特許文献１に示されるものがある。図６（ａ）は従来の自動販売機、図６（ｂ）は内扉の側断面詳細図を示すものである。
【０００３】
図６（ａ）に示すように、断熱箱体としてなる自動販売機のキャビネット１と、キャビネット１の前面に配した外扉２と、内扉３と、キャビネット１の庫内に冷却、加熱ユニットなどの付属機器とともに収容した商品収納ラック４と、キャビネット１の上部前面に開口した商品収納ラックの商品投入口４ａと、商品搬出シュータ５から構成されている。外扉２には商品見本を展示するディスプレイ室６が画成され、その前面側に蛍光灯７および商品見本棚８が装備されている。扉の裏面側には制御ボックス９などの各種電装品が装備されている。
【０００４】
自動販売機には、その運転操作、販売商品に関する各種の設定、操作方法などを記載して冊子かした取扱説明書（マニュアル）が用意されているが、この取扱説明書とは別に、前記マニュアルから抜粋した基本的設定、操作およびトラブルシューティング用のエラーコードなどのメンテナンス情報、収納商品を記入する配列表を印刷したステッカー（銘版）１０を図示のように内扉３の前面に貼り付けておき、ロケーション先の自動販売機メンテナンス情報を閲覧することができるようにしている。図６（ｂ）において、内扉３は鋼板１１で外郭を構成されており前記鋼板１１にステッカー１０を貼り付けている。ステッカー１０は紙材料１２に接着剤１３を塗布したものであり、粘着力が強いため、一度貼り付けると剥がすことが非常に困難である。
【特許文献１】特開２００３−１２３１３２号公報
【発明の開示】
【発明が解決しようとする課題】
【０００５】
しかしながら、前記従来の構成では、不要になった自動販売機の回収、解体してその扉部品をリユース（再利用）するあるいは、リサイクル可能な金属部品またはウレタンスラブ材を分別して再生処理する場合に、金属部品またはウレタンスラブ材に異質な部材が付着しているとリユース、リサイクルの再生処理に障害となる。このために、前記のように内扉３の表面に紙のステッカー１０を接着剤で貼り付けておくと、自動販売機を回収して解体、分別処理する際に鋼板製の扉面からステッカーを剥ぎ取る作業が必要となるが、ステッカー１０は年数が経過すると接着剤がはがれにくくなるほか、その紙が変質して千切れやすくなるために、ステッカーの剥離作業が困難となる。また、内扉３の表面は庫内雰囲気温度と蛍光灯７の発熱の影響により、温度差が生じることで発汗が起こる。内扉３に貼り付けられているステッカー１０は発汗水により長時間水を含んだ状態となり、メンテナンス時に作業者の手が触れたステッカー１０にカビが発生してしまう。本発明は、前記従来の課題を解決するもので、リユース、リサイクル処理の障害およびカビ増殖の場になるステッカーを使わずに、機内に標準装備されている部品を利用してメンテナンス情報を簡単に閲覧できるようにその表示手段を改良した自動販売機を提供することを目的とする。
【課題を解決するための手段】
【０００６】
前記従来の課題を解決するために、商品収納ラックを搭載したキャビネットの前面に配した内扉の鋼板表面や扉の平面部に自動販売機に関するメンテナンス情報、収納商品を記入する配列表を直接印刷して表示するようにしたものである。
【０００７】
これによって、従来製品のように自動販売機の扉面に接着剤で貼り付けたステッカーを使わずに、断熱扉としてキャビネット前面に配している内扉を活用してその鋼板表面に直接印刷した表示内容からメンテナンスに必要な情報を閲覧することができる。また、ステッカーを廃止することによりカビの増殖の場を消滅することができる。
【０００８】
また、本発明の自動販売機は、商品収納ラックを搭載したキャビネットの前面に配した内扉の鋼板表面に白地のシルク印刷を施しその面に自動販売機に関するメンテナンス情報、収納商品を記入する配列表を直接印刷して表示するようにしたものである。
【０００９】
これによって、メンテナンス情報および収納商品を記入する配列表の閲覧に対する視認性を向上させることができる。
【００１０】
また、本発明の自動販売機は、商品収納ラックを搭載したキャビネットの前面に配した内扉の鋼板表面をウレタンスラブ材表面に変更し、自動販売機に関するメンテナンス情報をウレタンスラブ材表面に直接印刷して表示するようにしたものである。
【００１１】
これによって、鋼板材に直接印刷され表面上に固着していたインクがウレタンスラブ材表面に直接印刷されることにより、インクが表面に浸透し容易にインクがはがれない状態となり長期間そのウレタンスラブ材表面に直接印刷した表示内容からメンテナンス情報を閲覧することができる。
【００１２】
また、本発明の自動販売機は、商品収納ラックを搭載したキャビネットの前面に配した内扉のウレタンスラブ材表面の材質に白色面材を使用する。その白面材に自動販売機に関するメンテナンス情報を直接印刷して表示するようにしたものである。
【００１３】
これによって、インクが長期間内扉表面からはがれることなく、かつメンテナンス情報の閲覧に対する視認性を向上させることができる。
【００１４】
また、本発明の自動販売機は、商品収納ラックを搭載したキャビネットの前面に配した内扉のウレタンスラブ材表面を被覆している面材にミシン目の切り取り線を設ける。その切り取り線で囲まれた範囲内に自動販売機に関するメンテナンス情報を記載してある接着剤付きのステッカーを貼り付け、表示するようにしたものである。
【００１５】
これによって、従来製品のように自動販売機の扉面に接着剤で貼り付けたステッカーをウレタンスラブ材の表面からはがすという面倒な作業を行うことなく、面材に設けられたミシン目の切り取り線に沿ってステッカーを切り離すことができる。
【発明の効果】
【００１６】
本発明の自動販売機は、自動販売機に関するメンテナンス情報および収納商品を記入する配列表を打ち扉の鋼板材表面に直接印刷して表示させることにより、使用済みの自動販売機をリユースおよびリサイクルする際の部品分別、処理作業が楽に行えることができる。また、ステッカーを廃止することによりステッカーに発生するカビを防止することができる。
【発明を実施するための最良の形態】
【００１７】
請求項１に記載の発明は、商品を収納するキャビネットとキャビネットの前面に扉を備えた自動販売機において、前記扉を開放した時に見ることができる内部の平面部に直接メンテナンス情報を印刷したことにより、従来使用していた接着剤つきのステッカーを使用する必要がなくなり、自動販売機をリユース、リサイクルする際の部品分別、処理作業を楽にすることができる。
【００１８】
請求項２に記載の発明は、内扉の鋼板表面側に自動販売機に関するメンテナンス情報および、収納ラックに対応した商品の銘柄記入欄を直接印刷して表示することにより、従来使用していた接着剤つきのステッカーを使用する必要がなくなり、自動販売機をリユース、リサイクルする際の部品分別、処理作業を楽にすることができ、またカビの発生しやすいステッカーを廃止することにより、自動販売機の庫内においてカビの増殖を防止することができる。
【００１９】
請求項３に記載の発明は、内扉の鋼板表面に白地のシルク印刷を施し、前記シルク印刷面に自動販売機に関するメンテナンス情報および、収納ラックに対応した商品の銘柄記入欄を直接印刷して表示することにより、記載内容の視認性を向上することができる。
【００２０】
請求項３に記載の発明は、内扉をウレタンスラブ材で構成し、表面を面材とすることにより表面に印刷されたインクが面材に浸透しインクがはがれることを防止し、長期間にわたり自動販売機に関するメンテナンス情報を閲覧することができる。
【００２１】
請求項４に記載の発明は、内扉のウレタンスラブ材表面を被覆している面材に白面材を使用し、前記白面材に自動販売機に関するメンテナンス情報および、収納ラックに対応した商品の銘柄記入欄を直接印刷して表示することにより、記載内容の視認性を向上することができる。
【００２２】
請求項５に記載の発明は、請求項４に記載の発明のウレタンスラブ材を被覆している白面材にミシン目の切り取り線を形成することにより、ミシン目の切り取り線に沿ってステッカーを切り離すことができる。
【００２３】
以下、本発明の実施の形態について、図面を参照しながら説明する。なお、本実施の形態によって、本発明が限定されるものではない。
【００２４】
（実施の形態１）
図１は、本発明の第１の実施の形態における自動販売機の内扉の斜視図および側断面詳細図を示すものである。図１において、内扉３は鋼板１１で外郭を構成されており前記鋼板１１に自動販売機に関するメンテナンス情報１４および、収納ラックに対応した商品の銘柄記入欄１５を直接印刷して表示している。鋼板１１には防錆に適したメッキ鋼板を採用しており、また、資源の再利用化、環境保護に配慮してクロムレス鋼板の採用も昨今行われている。
【００２５】
なお、自動販売機に関するメンテナンス情報１４および、収納ラックに対応した商品の銘柄記入欄１５のデータは自動販売機の型番にリンクされており、多種にわたる生産計画の都度、型番に適した内容のメンテナンス情報１４および収納ラックに対応した商品の銘柄記入欄１５を鋼板作成時に印刷される。
【００２６】
上記の構成において、ロケーション先で自動販売機の外扉２を開放したとき、内扉３に記載されている印刷内容からメンテナンスに必要な情報を閲覧することができる。また、ディスプレイ６に装備された蛍光灯７と制御ボックス９などの各種電装品によって発生する熱と内扉表面の発汗水によりカビ増殖の場となるステッカー１０を廃止できる。かつ、自動販売機を回収して解体、分別処理する際に鋼板製の扉面からステッカー１０を剥ぎ取る作業が不要となる。
【００２７】
前述の構成において内扉は一体で構成されているが、昨今の内扉のように上下分割されている場合においても本件の適用は容易にできることは云うまでもない。
【００２８】
（実施の形態２）
図２は、本発明の第２の実施の形態における自動販売機の内扉の斜視図および側断面詳細図を示すものである。本実施の形態では、内扉３は鋼板１１で外郭を構成されており前記鋼板１１にシルク印刷１６（２点鎖線で囲まれた部分）を施している。鋼板１１の表面はメッキ処理等を施しており、鋼板１１に自動販売機に関するメンテナンス情報１４および、収納ラックに対応した商品の銘柄記入欄１５を印刷すると表面の色調に文字が同化し視認性が悪くなり文字の判読が困難となる。そこで、メンテナンス情報１４および収納ラックに対応した商品の銘柄記入欄１５が記載される範囲において文字の色調と異なるシルク印刷１６を施すことによって、視認性を向上することができる。
【００２９】
（実施の形態３）
図３は本発明の第３の実施の形態における自動販売機の内扉の斜視図および側断面詳細図を示すものである。本実施の形態では、内扉３はウレタンスラブ材１７で外郭を構成されており、前記ウレタンスラブ材１７の表面を面材１８で被服している。面材１８は防水性、防湿性、通気性に優れたクラフト紙で形成されており、前記クラフト紙はリサイクルまたは廃棄処理が容易で環境に優しい材料である。自動販売機に関するメンテナンス情報１４および、収納ラックに対応した商品の銘柄記入欄１５を印刷適性の良好なクラフト紙に印刷することにより、面材１８からインクがはがれることを防止し、長期間にわたり自動販売機に関するメンテナンス情報を閲覧することができる。
【００３０】
（実施の形態４）
図４は本発明の第４の実施の形態における自動販売機の内扉の斜視図および側断面詳細図を示すものである。本実施の形態では、内扉３はウレタンスラブ材１７で外郭を構成されており、前記ウレタンスラブ材１７の表面を白面材１９で被覆している。白面材１９はカップ原紙で形成されており、前記白面材１９の表面はリサイクルまたは廃棄処理が容易で環境に優しいＰＥＴシート２０で被服されている。自動販売機に関するメンテナンス情報１４および、収納ラックに対応した商品の銘柄記入欄１５をＰＥＴシート２０の表層に印刷することにより、面材からインクがはがれることを防止し、長期間にわたり自動販売機に関するメンテナンス情報を閲覧することができ、かつ文字の色調と異なる白面材１９を使用することによって、視認性を向上することができる。また、白面材１９に直接印刷してからＰＥＴシート２０で白面材１９を被覆する方法でも同等の効果を得ることができる。
【００３１】
（実施の形態５）
図５は本発明の第５の実施の発明における自動販売機の内扉の斜視図および側断面詳細図を示すものである。本実施の形態では、内扉３はウレタンスラブ材１７で外郭を構成されており、前記ウレタンスラブ材１７の表面を白面材１９で被覆している。白面材１９にはミシン目の切り取り線２１が入っている。前記ミシン目の切り取り線２１が入った白面材表面にステッカー１０を貼り付けることにより、ステッカー１０をはがす作業を容易にすることができる。
【産業上の利用可能性】
【００３２】
以上のように、本発明にかかる自動販売機は、ステッカーを廃止し鋼板およびウレタンスラブ材表面に直接印刷することでリサイクル、廃棄処理作業を楽にすることが可能となり、また、カビ増殖の場となるステッカーを廃止することにより、庫内を清潔に保つことが可能となるので吸水しやすい環境に設置される断熱材等への印刷にも適用できる。
【図面の簡単な説明】
【００３３】
【図１】（ａ）は本発明の実施の形態１における内扉の斜視図、（ｂ）は本発明の実施の形態１における内扉の側断面詳細図
【図２】（ａ）は本発明の実施の形態２における内扉の斜視図、（ｂ）は本発明の実施の形態２における内扉の側断面詳細図
【図３】（ａ）は本発明の実施の形態３における内扉の斜視図、（ｂ）は本発明の実施の形態３における内扉の側断面詳細図
【図４】（ａ）は本発明の実施の形態４における内扉の斜視図、（ｂ）は本発明の実施の形態４における内扉の側断面詳細図
【図５】（ａ）は本発明の実施の形態５における内扉の斜視図、（ｂ）は本発明の実施の形態５における内扉の側断面詳細図
【図６】（ａ）は従来の自動販売機の斜視図、（ｂ）は従来の内扉の側断面詳細図
【符号の説明】
【００３４】
１    キャビネット
３    内扉
１１  鋼板
１４  メンテナンス情報
１５  商品の銘柄記入欄
１６  シルク印刷
１７  ウレタンスラブ材
１８  面材
１９  白面材
２１  ミシン目の切り取り線
【図１】
2005327022.tif 000003
【図２】
2005327022.tif 000004
【図３】
2005327022.tif 000005
【図４】
2005327022.tif 000006
【図５】
2005327022.tif 000007
【図６】
2005327022.tif 000008